(57)【要約】      （修正有）【課題】簡単に着用でき、洗顔時、着衣の前身頃などが濡れるのを防ぐことは勿論、手から伝わる水の腕への浸入と、顔から首元（首回り）に伝わる水の胸元への浸入をも防ぐことができる洗顔用カバーを提供する。【解決手段】上半身を覆うように着用されるカバー部１と、手首まで至る長袖部２とからなり、カバー部１は、丸首３を備え、長袖部２の袖口に、密着性と伸縮性に優れた弾性素材からなる筒状のバンド４を備えている。また、カバー部１は、カバー下端縁から長袖部２の付け根側に至る左右部分を前後に分離させた前身頃部１ａと後身頃部１ｂからなり、丸首３を伸縮自在に形成してなる。【選択図】図４
0003187369.tif 000002
【実用新案登録請求の範囲】
【請求項１】
上半身を覆うように着用するカバー部と、手首まで至る長袖部と、からなり、
前記長袖部の袖口に、密着性と伸縮性に優れた弾性素材からなる筒状のバンドを備えたことを特徴とする洗顔用カバー。
【請求項２】
前記カバー部は、伸縮自在に形成された丸首を備えているとともに、下端縁から前記長袖部の付け根側に至る左右部分を前後に分離させた前身頃部と後身頃部からなることを特徴とする請求項１に記載された洗顔用カバー。
【考案の詳細な説明】
【技術分野】
【０００１】
本考案は、洗顔時に着衣の袖や前身頃（胸元）などが濡れるのを防ぐために着用される洗顔用カバーに関する。
【背景技術】
【０００２】
洗顔時には手から腕に伝わる水や、洗面ボウルなどに当って飛び散る飛散水や跳ねた水しぶきなどによって着衣の袖や前身頃などが濡れることが多い。そこで、洗顔時に着衣が濡れるのを防ぐために着用されるエプロンやその他の形態からなる洗顔用カバーが知られている（例えば、特許文献１および特許文献２などを参照）。
【先行技術文献】
【特許文献】
【０００３】
【特許文献１】実用新案登録第３１０８７９４号公報
【特許文献２】特開２００２−３０９４１８号公報
【考案の概要】
【考案が解決しようとする課題】
【０００４】
ところで、従来技術では、着用者の上半身を包み込むように着用されるものであることから、洗面ボウルなどに当って飛び散る飛散水や跳ねた水しぶきなどから着衣の前身頃が濡れないように防ぐカバーとして望ましいと言える。
【０００５】
しかしながら、従来技術、特に、特許文献１に記載では、長袖の袖口にゴムを入れて手から腕（肘側）に伝わる水を手首部分で防ぐようにした単純なゴム入り袖口構造である。そのために、腕に水が伝わることを確実に防ぐことができず、着衣の袖を濡らしてしまう結果となっていた。つまり、袖口にゴムを入れただけでは、水の浸入を確実に防ぐことができる高い密着（水密）状態で長袖の袖口を手首回りにぴったりと沿わせることは極めて難しいものである。
【０００６】
本考案は、このような問題に対処することを課題の一例とするものである。すなわち、洗顔時、着衣の前身頃が濡れるのを防ぐことは勿論、手から伝わる水の腕への浸入を確実に防ぐことができること、さらに、顔から首回り（首元）に伝わる水の胸部への浸入をも防ぐことができること、などが本考案の目的である。
【課題を解決するための手段】
【０００７】
前記課題を解決するために、本考案に係る洗顔用カバーでは少なくとも以下の構成を具備している。
【０００８】
上半身を覆うように着用されるカバー部と、手首まで至る長袖部とからなり、前記長袖部の袖口に、密着性と伸縮性に優れた弾性素材からなる筒状のバンドを備えたことを特徴とする。
ここで、前記カバー部は、伸縮自在に形成された丸首を備え、さらに、下端縁から前記長袖部の付け根側に至る左右部分を前後に分離させた前身頃部と後身頃部からなる構成を採用することが好適なものとなる。
【０００９】
このような構成によれば、着用者は、両長袖部に両腕を通し、カバー部を被るようにして上半身に着用することができる。両長袖部の袖口は、筒状のバンドにより着用者の手首回りに密着される。これにより、洗顔時、袖口から腕への水の浸入を防ぐ。
また、カバー部は、前後に分離された前身頃部と後身頃部とによって着用者の上半身を覆うように着用されることで、着用者は、無理なく、ラフな状態で素早く簡単に着用することができる。特に、冬場などの厚着姿の着衣であっても着用者に窮屈感や不快感などを与えない、無理のない着用とすることができる。また、カバー部の丸首（丸襟）は伸縮自在であることで、顔から首回り（首元）に伝わる水の胸部（胸元）などへの浸入が防がれる。
【考案の効果】
【００１０】
本考案の洗顔用カバーによれば、洗顔時、着衣の前身頃などが濡れるのを防ぐことは勿論、手から伝わる水の腕への浸入を筒状のバンドによって確実に防ぐことができる。さらに、顔から首回り（首元）に伝わる水の胸部への浸入を伸縮自在な丸首によって防ぐことができる。
【００１１】
また、カバー部は、前後に分離された前身頃部と後身頃部とからなることで、着用者は、無理なく、ラフな状態で素早く簡単に着用することができる。
【図面の簡単な説明】
【００１２】
【図１】本考案の実施形態に係る洗顔用カバーを示す説明斜視図である。
【図２】同洗顔用カバーの長袖部の袖口部分を拡大して示す斜視図である。
【図３】同洗顔用カバーのカバー部の丸首部分を拡大して示す斜視図で、一部を破断して示す。
【図４】同洗顔用カバーを着用者が着用したときの状態を示す説明斜視図である。
【図５】着用者が洗顔しているときの状態を示す説明斜視図である。
【考案を実施するための形態】
【００１３】
以下、本考案の実施形態について、適宜図面を参照しながら詳細に説明する。
図１は、本考案の実施形態に係る洗顔用カバーを示す説明斜視図である。
【００１４】
≪洗顔用カバーＡの構成≫
洗顔用カバーＡは、その素材として特に限定されるものではない。例えば、防水性や耐久性などに優れているポリエステル、ポリプロピレン、ナイロン系の素材、そして撥水加工されている素材（シート地材）によって縫製される。この洗顔用カバーＡは、後記の図４および図５に示すように、着用者（洗顔者）Ｂの上半身を覆うように着用されるカバー部１と、手首まで至る長袖部２とから形成されている。
【００１５】
≪カバー部１の構成≫
カバー部１は、後記の図４に示すように、着用者Ｂの首部から尻部に至る程度の縦の長さで、全体としてだぶだぶの大きさに形成されている。そして、カバー部１は、丸首（丸襟）３を備え、着用者Ｂが被るようにして上半身に着用するように形成された防水性の保護衣である。
【００１６】
また、カバー部１は、図１および後記の図４に示すように、開口するカバー下端縁から長袖部２の付け根側に至る左右部分を前後にカット分離、そして縫着した前身頃部１ａと後身頃部１ｂからなる全体としてポンチョ風形態に形成されている。
これにより、着用者Ｂは無理なく、ラフな状態で素早く簡単に着用することができる。特に、冬場などの厚着姿の着衣であっても、カバー部１を無理なく着用することができる。
【００１７】
≪長袖部２の構成≫
図２は、長袖部の袖口部分を拡大して示す斜視図である。ここでは、図１および後記の図４を適宜参照しながら説明する。
長袖部２は、図１および図４に示すように、着用者Ｂの腕周りよりもかなり大きめのだぶだぶで、カバー部１との連設付け根側から袖口に至るにしたがって漸次絞り込まれた形態に形成されている。これにより、長袖部２内に腕を通しやすくしている。
そして、このように形成されている長袖部２の袖口には、図２に示すように、筒状のバンド４が備えられている。
【００１８】
≪バンド４の構成≫
バンド４は、手首回りへの密着性が高く、手首に装着し易いように伸縮性に優れている弾性素材から筒状に形成されている。例えば、天然ゴム、塩化ビニールゴム、シリコンゴムなどの弾性素材から適宜の長さと口径（筒径）を有するリストバンド形態に形成されている。
このバンド４は、縫着などにより長袖部２の袖口に取り付けられて、洗顔時、手から伝わる水が腕へと浸入しない密着状態にて手首回りに装着されるようになっている（図２、図４および図５参照）。
【００１９】
図３は、カバー部の丸首部分を拡大して示す斜視図で、一部を破断して示す。
また、本実施例では、カバー部１の丸首（丸襟）３を伸縮自在に形成している。
丸首３は、図３に示すように、ゴム紐やその他の伸縮性紐材５を開口周囲の内側への折り返し縫着によって無端状に内設している。これにより、カバー部１を着用したとき、後記の図４および図５に示すように、丸首３が着用者Ｂの首回り（首元）に密着するようにしている。
【００２０】
［作用説明］
つぎに、以上のように形成されている本実施形態に係る洗顔用カバーＡの使用について簡単に説明する。
図４は、洗顔用カバーを着用者が着用したときの状態を示す説明斜視図であり、図５は、着用者が洗面ボウルなどにおいて洗顔しているときの状態を示す説明斜視図である。
着用者（洗顔者）Ｂは、両長袖部２に両腕を通し、袖口に備えられているバンド４を手首に装着した状態で、カバー部１を被るようにして上半身に着用する（図４の状態）。このとき、カバー部１は、前身頃部１ａと後身頃部１ｂとによって前後に分離されている。つまり、カバー部１は大きく開くことで、着用者Ｂは、無理なく、ラフな状態で素早く簡単に着用することができる。
【００２１】
着用者Ｂの手首に装着された筒状のバンド４は、手首回りに水密性の高い状態でリストバンドの如く密着する。これにより、図５に示すように、洗面ボウルＣなどによる洗顔時において、手から手首に伝わる水が腕へと浸入することを長袖部２の袖口に備えたバンド４によって確実に防ぐことができる。また、カバー部１の伸縮自在な丸首３も首回り（首元）に密着して、顔から首元に伝わる水の胸部などへの浸入をも防ぐことができる。
【００２２】
また、カバー部１は、前後に分離された前身頃部１ａと後身頃部１ｂとによって着用者Ｂの上半身を覆うように着用される。これにより、冬場などの厚着姿の着衣であっても着用者Ｂに窮屈感や不快感などを与えない、無理なく、ラフな状態での着用とすることができる。
【００２３】
また、カバー部１と長袖部２からなる本実施形態に係る洗顔用カバーＡは、例えば、防水性などに優れたナイロン系の素材、または、撥水加工された素材によって縫製されていることで、表裏双方において着用することができる。例えば、翌日の洗顔時には前日の表状態から裏返し状態で着用するなど、表裏双方において着用することができる。
【００２４】
以上、本考案の実施の形態について図面を参照して詳述してきたが、具体的な構成はこれらの実施の形態に限られるものではなく、本考案の要旨を逸脱しない範囲の設計の変更などがあっても本考案に含まれる。また、各図の記載内容はそれぞれ独立した実施形態になり得るものであり、本考案の実施形態は各図を組み合わせた一つの実施形態に限定されるものではない。
例えば、カバー部１の丸首３を、長袖部２の袖口と同じく、弾性素材からなる筒状にて伸縮自在に形成することができる。
また、洗顔用カバーＡは、洗顔に限らず、洗髪用として、または、キッチンにてお皿を洗うなどの水仕事用としてなどの水から着衣が濡れることを防ぐ各種用途において使用することができる。
【符号の説明】
【００２５】
Ａ      洗顔用カバー
１      カバー部
１ａ    前身頃部
１ｂ    後身頃部
２      長袖部
３      丸首
４      バンド
【図１】
0003187369.tif 000003
【図２】
0003187369.tif 000004
【図３】
0003187369.tif 000005
【図４】
0003187369.tif 000006
【図５】
0003187369.tif 000007